(57)【要約】【課題】低推進力でより長距離を推進させる。【解決手段】ガイド管１０に推進管１１を嵌挿した状態の二重管を地中に推進させて所定位置まで掘進し、ガイド管１０に推進管１１を嵌挿した状態でガイド管１０及び推進管１１の間の隙間に滑剤を注入充填し、その後地中に埋入した二重管の推進管１１後端に別の推進管１１を連結し、推進管１１のみをガイド管１０内で滑剤により円滑にスライドさせながら推進させて目標位置まで掘進する。【選択図】          図１
2004238910.tif 000002
【特許請求の範囲】
【請求項１】
先端に有する掘進機で地中を掘削しながら掘進機の後方に推進管を次々と連結して最後尾の推進管の後端を発進装置で押圧することで発進立坑から目標位置まで掘進する推進工法において、前記推進管を同推進管より拡径なガイド管へスライド自在に嵌挿し、同ガイド管及び推進管を地中へ同時に推進させ、同ガイド管及び推進管の後端に別のガイド管及び推進管を次々と連結して所定位置まで掘進し、その後地中に埋入したガイド管内の推進管後端に別の推進管を次々と連結し、推進管のみをガイド管内で推進させながら目標位置まで掘進することを特徴とする長距離推進方法。
【請求項２】
推進管とガイド管の継ぎ目が同一箇所となるようにそれぞれ同一長さのものを用いた請求項１記載の長距離推進方法。
【請求項３】
推進管をガイド管に嵌挿した状態で地上から発進立坑内に降下させ、推進管及びガイド管の後端を同時に押圧して推進させるようにした請求項１又は２記載の長距離推進方法。
【請求項４】
ガイド管に推進管を嵌挿した状態でガイド管と推進管との間に滑剤を注入充填し、推進管がガイド管内を円滑にスライドしながら推進できるようにした請求項１〜３いずれか記載の長距離推進方法。
【発明の詳細な説明】
【０００１】
【発明の属する技術分野】
本発明は推進工法に関し、詳しくは低推進力で長距離を推進できるようにする技術に関する。
【０００２】
【従来の技術】
従来、先端に有する掘進機で地中を掘削しながら掘進機の後方に推進管を次々と連結し、最後尾の推進管の後端を発進装置で押圧することで発進立坑から地中の目標位置まで掘進する推進工法があり、推進管としてはヒューム管等の単筒構造のものが使用されている。
【０００３】
ところで、近年では技術の発展により１スパン当たりの推進距離が伸びて長距離推進の施工が可能となってきた。しかしながら、推進距離が長大化するほど推進管と地山との抵抗が増大し、推進力の上昇を招く等の問題が生じていた。
【０００４】
【発明が解決しようとする課題】
本発明が解決しようとする課題は、従来のこれらの問題点を解消し、低推進力で長距離を推進できる長距離推進方法を提供することにある。
【０００５】
【課題を解決するための手段】
かかる課題を解決した本発明の構成は、
１）  先端に有する掘進機で地中を掘削しながら掘進機の後方に推進管を次々と連結して最後尾の推進管の後端を発進装置で押圧することで発進立坑から目標位置まで掘進する推進工法において、前記推進管を同推進管より拡径なガイド管へスライド自在に嵌挿し、同ガイド管及び推進管を地中へ同時に推進させ、同ガイド管及び推進管の後端に別のガイド管及び推進管を次々と連結して所定位置まで掘進し、その後地中に埋入したガイド管内の推進管後端に別の推進管を次々と連結し、推進管のみをガイド管内で推進させながら目標位置まで掘進することを特徴とする長距離推進方法
２）  推進管とガイド管の継ぎ目が同一箇所となるようにそれぞれ同一長さのものを用いた前記１）記載の長距離推進方法
３）  推進管をガイド管に嵌挿した状態で地上から発進立坑内に降下させ、推進管及びガイド管の後端を同時に押圧して推進させるようにした前記１）又は２）記載の長距離推進方法
４）  ガイド管に推進管を嵌挿した状態でガイド管と推進管との間に滑剤を注入充填し、推進管がガイド管内を円滑にスライドしながら推進できるようにした前記１）〜３）いずれか記載の長距離推進方法
にある。
【０００６】
【作用】
本発明によれば、ガイド管内を推進する推進管は地山との抵抗を受けないから、従来の低推進力でガイド管の長さ分更に長距離を推進することが可能となる。また、推進管が受ける発進装置の推進力を小さくできるから、従来の長距離推進時の高推進力に耐え得る高強度が求められず強度に余裕が生じる。
【０００７】
【発明の実施の形態】
本発明において初期の掘進は、ガイド管と同管内にスライド自在に嵌挿される推進管の二重管状態で行われ、ガイド管としては地山との抵抗に耐え得る高強度の鋼管が、推進管としては従来のヒューム管が採用される。ガイド管と推進管との間には若干の隙間を形成し、推進管がガイド管内を円滑にスライドしながら推進できるように滑剤を注入充填するのが望ましい。
【０００８】
滑剤としては種々のものがあり、例えば代表的なものとしてポリアクリル酸系複合物植物性高分子がある。この滑材にはより円滑にスライドできるように摩擦力を低減する公知の減摩剤が適量混合され、しかも鋼板製のガイド管を冒さないようにｐＨ７程度のアルカリ性のものが良い。滑剤は推進管に所定間隔おいて形成したグラウトホールに外部から注入ホースで供給する手法で所要量注入充填する。
【０００９】
【実施例】
以下、本発明の実施例を図面に基づいて具体的に説明する。図１は実施例の発進立坑及び推進管の説明図、図２は実施例のガイド管及び推進管の押圧を示す説明図、図３は実施例のガイド管及び推進管の断面図、図４は実施例の滑剤注入の説明図、図５〜７は実施例の長距離推進の説明図である。
【００１０】
図中、１は受圧板、２はシリンダロッド、３はシリンダチューブ、４は推進架台、４ａは支持脚、５は押輪、５ａはアダプタリング、６は支持片、１０はガイド管、１１は推進管、１１ａはグラウトホール、１２は隙間、１３は注入バルブ、１３ａは圧力計、１４は注入ホース、Ｇは地盤、Ｍは掘進機、Ｒは滑剤、Ｔは発進立坑である。
【００１１】
本実施例では、図１に示すように地盤Ｇに構築した発進立坑Ｔ内の掘進方向と相対する内壁に推進時の反力を受ける受圧板１を立設し、同受圧板１の所定間隔おいた左右に油圧式のシリンダチューブ３を突設し、同各シリンダチューブ３の油圧で掘進方向へ進退するシリンダロッド２を取り付けている。
【００１２】
各シリンダチューブ３の下方には推進架台４を複数の支持脚４ａで推進方向に沿って敷設し、同推進架台４上にガイド管１０及び推進管１１へシリンダロッド２の推進力を伝達するアダプタリング５ａを備えた押輪５を移動自在に載置している。
【００１３】
ガイド管１０は外面が平滑な高強度の鋼板で構成され、推進管１１は公知のヒューム管が用いられ、図２，３に示すようにガイド管１０内に推進管１１を嵌挿した際滑剤Ｒが充填される２〜５ｍｍ程度の隙間１２が形成される寸法とし、推進管１１には図４に示すように滑剤Ｒを注入する所定径のグラウトホール１１ａを予め穿設する。
【００１４】
本実施例では、図５に示すように発進立坑Ｔの推進側壁面にガイド管１０を支持する支持片６を取り付け、押輪５の前方に推進管１１を嵌挿したガイド管１０を配置してその後端に押輪５のアダプタリング５ａを当接し、図示しない油圧機構を作動させて各シリンダロッド２を油圧で押し出し、その力で押輪５がガイド管１０及び推進管１１を地盤Ｇ内に同時に推進させる。この工程をガイド管１０が地盤Ｇ内におよそ４００〜５００ｍ埋入するまで繰り返す。
【００１５】
次に、図４に示すように各推進管１１に予め穿設したグラウトホール１１ａに圧力計１３ａを備えた注入バルブ１３をそれぞれ装着し、各注入バルブ１３間を注入ホース１４で直列的に接続して発進立坑Ｔ内又は地上に設けた図示しない圧送装置で滑剤Ｒを各注入バルブ１３へ所定圧で圧送し、滑剤Ｒはグラウトホール１１ａから隙間１２に注入されて二重管部分の隙間全域に充填される。
【００１６】
その後、図６に示すように地盤Ｇに埋入した二重管の推進管１１後端に次の推進管１１を配置して推進させ、二重管部分はガイド管１０内で滑剤Ｒにより円滑にスライドさせて前記滑剤Ｒの注入充填作業を並行して行いながら各推進管１１のみを掘進させる。この工程を繰り返し、図７に示すように目標位置まで掘進して地盤Ｇ内に求める管路が構築される。
【００１７】
本実施例はこのように構成したから、二重管部分を推進する推進管１１は地盤Ｇとの抵抗を受けないから、従来の低推進力でガイド管１０の長さ分更に長距離を推進することが可能となった。また、推進管１１が受ける発進装置の推進力を小さくできるから、従来の長距離推進時の高推進力に耐えうる高強度が求められず強度に余裕が生じ、通常の強度に耐えうる推進管を使用してコストも低減できる。
【００１８】
【発明の効果】
以上説明したように、本発明によれば低推進力でより長距離の推進を可能とする長距離推進方法を提供できる。
【図面の簡単な説明】
【図１】実施例の発進立坑及び推進管の説明図である。
【図２】実施例のガイド管及び推進管の押圧を示す説明図である。
【図３】実施例のガイド管及び推進管の断面図である。
【図４】実施例の滑剤注入の説明図である。
【図５】実施例の長距離推進の説明図である。
【図６】実施例の長距離推進の説明図である。
【図７】実施例の長距離推進の説明図である。
【符号の説明】
１  受圧板
２  シリンダロッド
３  シリンダチューブ
４  推進架台
４ａ  支持脚
５  押輪
５ａ  アダプタリング
６  支持片
１０  ガイド管
１１  推進管
１１ａ  グラウトホール
１２  隙間
１３  注入バルブ
１３ａ  圧力計
１４  注入ホース
Ｇ  地盤
Ｍ  掘進機
Ｒ  滑剤
Ｔ  発進立坑
【図１】
2004238910.tif 000003
【図２】
2004238910.tif 000004
【図３】
2004238910.tif 000005
【図４】
2004238910.tif 000006
【図５】
2004238910.tif 000007
【図６】
2004238910.tif 000008
【図７】
2004238910.tif 000009